【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
所定数のビットで構成されたビット列を、実軸及び虚軸を有する複素平面上に予め決められた複数個の送信シンボル点に変調した放送信号を受信し、該受信した信号から前記ビット列の各々のビットに対して、ビット対数尤度比を算出する対数尤度比算出装置であって、
前記受信した信号を前記複素平面上で示した受信信号点からの距離が最短となる送信シンボル点を基準点として検出する基準点検出回路と、
前記ビット列の各々のビットに対して、前記ビット対数尤度比の算出対象となるビットの値が異なる任意の送信シンボル点をビット反転基準点として検出するビット反転基準点検出回路と、
前記複素平面上の任意の直線を第１の軸として、前記受信信号点、前記基準点検出回路にて検出した基準点、及び前記ビット反転基準点検出回路にて検出したビット反転基準点を射影して、当該第１の軸に射影された前記受信信号点、前記基準点、及び前記ビット反転基準点の射影点を前記ビット列の各々のビットに対して取得する基準軸射影回路と、
前記基準軸射影回路にて取得した基準点とビット反転基準点の射影点との中点を原点とするように、前記基準軸射影回路にて取得した受信信号点の射影点に対して差分の補正を、前記ビット列の各々のビットに対して行う軸内補正回路と、
前記基準軸射影回路にて取得した基準点とビット反転基準点の射影点の距離に応じて、前記軸内補正回路で補正した射影点の前記ビット列の各々のビットに対して正規化するシンボル点間補正回路と
を有することを特徴とする対数尤度比算出装置。
【請求項２】
前記ビット反転基準点検出回路は、前記基準点検出回路にて検出した基準点に対して、前記ビット対数尤度比の算出対象となるビットの値が異なる前記複数個の送信シンボル点の内、前記受信信号点からの距離が最短となる送信シンボル点をビット反転基準点として検出することを特徴とする請求項１に記載の対数尤度比算出装置。
【請求項３】
前記ビット反転基準点検出回路は、前記基準点検出回路にて検出した基準点を構成するビット列に対して、前記ビット対数尤度比の算出対象となるビットだけを反転したビット列となる送信シンボル点をビット反転基準点として検出することを特徴とする請求項１に記載の対数尤度比算出装置。
【請求項４】
前記基準軸射影回路は、前記第１の軸を前記実軸とすることを特徴とする請求項１から３のいずれか１項に記載の対数尤度比算出装置。
【請求項５】
前記基準軸射影回路は、前記第１の軸を前記虚軸とすることを特徴とする請求項１から３のいずれか１項に記載の対数尤度比算出装置。
【請求項６】
前記基準軸射影回路は、前記基準点と前記ビット反転基準点の射影点とが、前記第１の軸上において重なる場合に、前記第１の軸と異なる前記複素平面上の任意の直線を第２の軸として、前記受信信号点、前記基準点、及び前記ビット反転基準点を射影して、当該第２の軸に射影された前記受信信号点、前記基準点、及び前記ビット反転基準点の射影点を、前記ビット列の各々のビットに対して取得することを特徴とする請求項４又は５に記載の対数尤度比算出装置。
【請求項７】
前記基準軸射影回路は、前記第２の軸を、前記第１の軸に直交する直線軸とすることを特徴とする請求項６に記載の対数尤度比算出装置。
【請求項８】
前記基準軸射影回路は、前記第１の軸を前記基準点と前記各ビット反転基準点とを通る直線軸とし、前記ビット列の各々のビットに対して実施することを特徴とする請求項１から３のいずれか１項に記載の対数尤度比算出装置。
【請求項９】
所定数のビットで構成されたビット列を、実軸及び虚軸を有する複素平面上に予め決められた複数個の送信シンボル点に変調した放送信号を受信し、該受信した信号から前記ビット列の各々のビットに対して、ビット対数尤度比を算出する対数尤度比算出装置であって、
前記受信した信号を前記複素平面上で示した受信信号点からの距離が最短となる送信シンボル点を基準点として検出する基準点検出回路と、
前記ビット列の各々のビットに対して、前記ビット対数尤度比の算出対象となるビットの値が異なる任意の送信シンボル点をビット反転基準点として検出するビット反転基準点検出回路と、
前記複素平面上の任意の直線を第１の軸及び該第１の軸に直交する直線を第２の軸として、少なくとも一方の軸に前記受信信号点、前記基準点検出回路にて検出した基準点、及び前記ビット反転基準点検出回路にて検出したビット反転基準点を射影して、前記第１の軸及び前記第２の軸の少なくとも一方に射影された前記受信信号点、前記基準点、及び前記ビット反転基準点の射影点を前記ビット列の各々のビットに対して取得する基準軸射影回路と、
前記基準軸射影回路にて取得した基準点とビット反転基準点の射影点との中点を原点とするように、前記基準軸射影回路にて取得した受信信号点の射影点に対して差分の補正を、前記ビット列の各々のビットに対して行う軸内補正回路と、
前記基準軸射影回路にて取得した基準点とビット反転基準点の射影点の距離に応じて、前記軸内補正回路で補正した射影点の前記ビット列の各々のビットに対して正規化するシンボル点間補正回路と、
前記シンボル点間補正回路で正規化した、前記第１の軸の射影点と前記第２の軸の射影点とを重み付け加算した値をビット対数尤度比として出力する２次元対数尤度比算出回路と
を有することを特徴とする対数尤度比算出装置。
【請求項１０】
所定数のビットで構成されたビット列を、実軸及び虚軸を有する複素平面上に予め決められた複数個の送信シンボル点に変調した放送信号を受信し、該受信した信号から前記ビット列の各々のビットに対して、ビット対数尤度比を算出する対数尤度比算出方法であって、
前記受信した信号を前記複素平面上で示した受信信号点からの距離が最短となる送信シンボル点を基準点として検出する基準点検出ステップと、
前記ビット列の各々のビットに対して、前記ビット対数尤度比の算出対象となるビットの値が異なる任意の送信シンボル点をビット反転基準点として検出するビット反転基準点検出ステップと、
前記複素平面上の任意の直線を第１の軸として、前記受信信号点、前記基準点検出ステップにて検出した基準点、及び前記ビット反転基準点検出ステップにて検出したビット反転基準点を射影して、当該第１の軸に射影された前記受信信号点、前記基準点、及び前記ビット反転基準点の射影点を前記ビット列の各々のビットに対して取得する基準軸射影ステップと、
前記基準軸射影ステップにて取得した基準点とビット反転基準点の射影点との中点を原点とするように、前記基準軸射影ステップにて取得した受信信号点の射影点に対して差分の補正を、前記ビット列の各々のビットに対して行う軸内補正ステップと、
前記基準軸射影ステップにて取得した基準点とビット反転基準点の射影点の距離に応じて、前記軸内補正ステップで補正した射影点の前記ビット列の各々のビットに対して正規化するシンボル点間補正ステップと
を有することを特徴とする対数尤度比算出方法。
【請求項１１】
前記ビット反転基準点検出ステップでは、前記基準点検出ステップにて検出した基準点に対して、前記ビット対数尤度比の算出対象となるビットの値が異なる前記複数個の送信シンボル点の内、前記受信信号点からの距離が最短となる送信シンボル点をビット反転基準点として検出することを特徴とする請求項１０に記載の対数尤度比算出方法。
【請求項１２】
前記ビット反転基準点検出ステップでは、前記基準点検出ステップにて検出した基準点を構成するビット列に対して、前記ビット対数尤度比の算出対象となるビットだけを反転したビット列となる送信シンボル点をビット反転基準点として検出することを特徴とする請求項１０に記載の対数尤度比算出方法。
【請求項１３】
前記基準軸射影ステップにおいて、前記第１の軸を前記実軸とすることを特徴とする請求項１０から１２のいずれか１項に記載の対数尤度比算出方法。
【請求項１４】
前記基準軸射影ステップにおいて、前記第１の軸を前記虚軸とすることを特徴とする請求項１０から１２のいずれか１項に記載の対数尤度比算出方法。
【請求項１５】
前記基準軸射影ステップにおいて、前記基準点と前記ビット反転基準点の射影点とが、前記第１の軸上において重なる場合に、前記第１の軸と異なる前記複素平面上の任意の直線を第２の軸として、前記受信信号点、前記基準点、及び前記ビット反転基準点を射影して、当該第２の軸に射影された前記受信信号点、前記基準点、及び前記ビット反転基準点の射影点を、前記ビット列の各々のビットに対して取得することを特徴とする請求項１３又は１４に記載の対数尤度比算出方法。
【請求項１６】
前記基準軸射影ステップは、前記第２の軸を、前記第１の軸に直交する直線軸とすることを特徴とする請求項１５に記載の対数尤度比算出方法。
【請求項１７】
前記基準軸射影ステップは、前記第１の軸を前記基準点と前記各ビット反転基準点とを通る直線軸とすることを特徴とする請求項１０から１２のいずれか１項に記載の対数尤度比算出方法。
【請求項１８】
所定数のビットで構成されたビット列を、実軸及び虚軸を有する複素平面上に予め決められた複数個の送信シンボル点に変調した放送信号を受信し、該受信した信号から前記ビット列の各々のビットに対して、ビット対数尤度比を算出する対数尤度比算出方法であって、
前記受信した信号を前記複素平面上で示した受信信号点からの距離が最短となる送信シンボル点を基準点として検出する基準点検出ステップと、
前記ビット列の各々のビットに対して、前記ビット対数尤度比の算出対象となるビットの値が異なる任意の送信シンボル点をビット反転基準点として検出するビット反転基準点検出ステップと、
前記複素平面上の任意の直線を第１の軸及び該第１の軸に直交する直線を第２の軸として、少なくとも一方の軸に前記受信信号点、前記基準点検出ステップにて検出した基準点、及び前記ビット反転基準点検出ステップにて検出したビット反転基準点を射影して、前記第１の軸及び前記第２の軸の少なくとも一方に射影された前記受信信号点、前記基準点、及び前記ビット反転基準点の射影点を前記ビット列の各々のビットに対して取得する基準軸射影ステップと、
前記基準軸射影ステップにて取得した基準点とビット反転基準点の射影点との中点を原点とするように、前記基準軸射影ステップにて取得した受信信号点の射影点に対して差分の補正を、前記ビット列の各々のビットに対して行う軸内補正ステップと、
前記基準軸射影ステップにて取得した基準点とビット反転基準点の射影点の距離に応じて、前記軸内補正ステップで補正した射影点の前記ビット列の各々のビットに対して正規化するシンボル点間補正ステップと、
前記シンボル点間補正ステップで正規化した、前記第１の軸の射影点と前記第２の軸の射影点とを重み付け加算した値をビット対数尤度比として出力する２次元対数尤度比算出ステップと
を有することを特徴とする対数尤度比算出方法。
【請求項１９】
所定数のビットで構成されたビット列を、実軸及び虚軸を有する複素平面上に予め決められた複数個の送信シンボル点に変調した放送信号を受信し、該受信した信号から前記ビット列の各々のビットに対して、ビット対数尤度比を算出するための対数尤度比算出用プログラムであって、
コンピュータに、
前記受信した信号を前記複素平面上で示した受信信号点からの距離が最短となる送信シンボル点を基準点として検出する基準点検出機能と、
前記ビット列の各々のビットに対して、前記ビット対数尤度比の算出対象となるビットの値が異なる任意の送信シンボル点をビット反転基準点として検出するビット反転基準点検出機能と、
前記複素平面上の任意の直線を第１の軸として、前記受信信号点、前記基準点検出機能によって検出した基準点、及び前記ビット反転基準点検出機能によって検出したビット反転基準点を射影して、当該第１の軸に射影された前記受信信号点、前記基準点、及び前記ビット反転基準点の射影点を前記ビット列の各々のビットに対して取得する基準軸射影機能と、
前記基準軸射影機能によって取得した基準点とビット反転基準点の射影点との中点を原点とするように、前記基準軸射影機能によって取得した受信信号点の射影点に対して差分の補正を、前記ビット列の各々のビットに対して行う軸内補正機能と、
前記基準軸射影機能によって取得した基準点とビット反転基準点の射影点の距離に応じて、前記軸内補正機能によって補正した射影点の前記ビット列の各々のビットに対して正規化するシンボル点間補正機能と
を実現させる対数尤度比算出用プログラム。
【請求項２０】
所定数のビットで構成されたビット列を、実軸及び虚軸を有する複素平面上に予め決められた複数個の送信シンボル点に変調した放送信号を受信し、該受信した信号から前記ビット列の各々のビットに対して、ビット対数尤度比を算出するための対数尤度比算出用プログラムであって、
コンピュータに、
前記受信した信号を前記複素平面上で示した受信信号点からの距離が最短となる送信シンボル点を基準点として検出する基準点検出機能と、
前記ビット列の各々のビットに対して、前記ビット対数尤度比の算出対象となるビットの値が異なる任意の送信シンボル点をビット反転基準点として検出するビット反転基準点検出機能と、
前記複素平面上の任意の直線を第１の軸及び該第１の軸に直交する直線を第２の軸として、少なくとも一方の軸に前記受信信号点、前記基準点検出機能によって検出した基準点、及び前記ビット反転基準点検出機能によって検出したビット反転基準点を射影して、前記第１の軸及び前記第２の軸の少なくとも一方に射影された前記受信信号点、前記基準点、及び前記ビット反転基準点の射影点を前記ビット列の各々のビットに対して取得する基準軸射影機能と、
前記基準軸射影機能によって取得した基準点とビット反転基準点の射影点との中点を原点とするように、前記基準軸射影機能によって取得した受信信号点の射影点に対して差分の補正を、前記ビット列の各々のビットに対して行う軸内補正機能と、
前記基準軸射影機能によって取得した基準点とビット反転基準点の射影点の距離に応じて、前記軸内補正機能によって補正した射影点の前記ビット列の各々のビットに対して正規化するシンボル点間補正機能と、
前記シンボル点間補正機能によって正規化した、前記第１の軸の射影点と前記第２の軸の射影点とを重み付け加算した値をビット対数尤度比として出力する２次元対数尤度比算出機能と
を実現させる対数尤度比算出用プログラム。
【手続補正２】
【補正対象書類名】明細書
【補正対象項目名】００１３
【補正方法】変更
【補正の内容】
【００１３】
本発明の一態様に係る対数尤度比算出装置は、所定数のビットで構成されたビット列を、実軸及び虚軸を有する複素平面上に予め決められた複数個の送信シンボル点に変調した放送信号を受信し、該受信した信号から前記ビット列の各々のビットに対して、ビット対数尤度比を算出する対数尤度比算出装置であって、前記受信した信号を前記複素平面上で示した受信信号点からの距離が最短となる送信シンボル点を基準点として検出する基準点検出回路と、前記ビット列の各々のビットに対して、前記ビット対数尤度比の算出対象となるビットの値が異なる任意の送信シンボル点をビット反転基準点として検出するビット反転基準点検出回路と、前記複素平面上の任意の直線を第１の軸として、前記受信信号点、前記基準点検出回路にて検出した基準点、及び前記ビット反転基準点検出回路にて検出したビット反転基準点を射影して、当該第１の軸に射影された前記受信信号点、前記基準点、及び前記ビット反転基準点の射影点を前記ビット列の各々のビットに対して取得する基準軸射影回路と、前記基準軸射影回路にて取得した基準点とビット反転基準点の射影点との中点を原点とするように、前記基準軸射影回路にて取得した受信信号点の射影点に対して差分の補正を、前記ビット列の各々のビットに対して行う軸内補正回路と、前記基準軸射影回路にて取得した基準点とビット反転基準点の射影点の距離に応じて、前記軸内補正回路で補正した射影点の前記ビット列の各々のビットに対して正規化するシンボル点間補正回路とを有することを特徴とする。
【手続補正３】
【補正対象書類名】明細書
【補正対象項目名】００１４
【補正方法】変更
【補正の内容】
【００１４】
本発明の他の態様に係る対数尤度比算出装置は、所定数のビットで構成されたビット列を、実軸及び虚軸を有する複素平面上に予め決められた複数個の送信シンボル点に変調した放送信号を受信し、該受信した信号から前記ビット列の各々のビットに対して、ビット対数尤度比を算出する対数尤度比算出装置であって、前記受信した信号を前記複素平面上で示した受信信号点からの距離が最短となる送信シンボル点を基準点として検出する基準点検出回路と、前記ビット列の各々のビットに対して、前記ビット対数尤度比の算出対象となるビットの値が異なる任意の送信シンボル点をビット反転基準点として検出するビット反転基準点検出回路と、前記複素平面上の任意の直線を第１の軸及び該第１の軸に直交する直線を第２の軸として、少なくとも一方の軸に前記受信信号点、前記基準点検出回路にて検出した基準点、及び前記ビット反転基準点検出回路にて検出したビット反転基準点を射影して、前記第１の軸及び前記第２の軸の少なくとも一方に射影された前記受信信号点、前記基準点、及び前記ビット反転基準点の射影点を前記ビット列の各々のビットに対して取得する基準軸射影回路と、前記基準軸射影回路にて取得した基準点とビット反転基準点の射影点との中点を原点とするように、前記基準軸射影回路にて取得した受信信号点の射影点に対して差分の補正を、前記ビット列の各々のビットに対して行う軸内補正回路と、前記基準軸射影回路にて取得した基準点とビット反転基準点の射影点の距離に応じて、前記軸内補正回路で補正した射影点の前記ビット列の各々のビットに対して正規化するシンボル点間補正回路と、前記シンボル点間補正回路で正規化した、前記第１の軸の射影点と前記第２の軸の射影点とを重み付け加算した値をビット対数尤度比として出力する２次元対数尤度比算出回路とを有することを特徴とする。